(57)【要約】  本発明は、照明装置であって、光源(110)と、端部に設けられる口金(122, 124)、及び、送り出し機構(130)、を有する接続構造部(120)と、を有し、前記口金は前記光源と電気的に接続され、及び、当該口金は外部ソケットへ挿入されるコンタクト部を有し、前記送り出し機構は、前記口金が装着される回転コンポーネント(134)に回転可能に接続される駆動コンポーネント(132)を含み、前記駆動コンポーネントの前記回転コンポーネントに対する動きは、前記回転コンポーネントを、前記口金と共に回転させるように構成されている、照明装置に関する。パネル(150)の表面に設置されるボタン(155)をタッチ、押圧、スライド、又は回転させることだけにより、前記回転コンポーネントは、回転するように駆動され、そして、２つの口金の２つのピンは、対応するソケットへ素早く挿入される。
2017502446.tif 000002
【特許請求の範囲】
【請求項１】
照明装置であって、
−光源と、
−端部に設けられる口金、及び、送り出し機構、を有する接続構造部と、
を有し、
−前記口金は前記光源と電気的に接続され、及び、当該口金は外部ソケットへ挿入されるコンタクト部を有し、
−前記送り出し機構は、前記口金が装着される回転コンポーネントに回転可能に接続される駆動コンポーネントを含み、
前記駆動コンポーネントの前記回転コンポーネントに対する動きは、前記回転コンポーネントを、前記口金と共に回転させるように構成されており、
当該照明装置は、更に、前記接続構造部と機械的に接続されるパネルであって、当該パネルに設けられるボタンを用いて前記駆動コンポーネントと可動に接続されるパネルを有する、
照明装置。
【請求項２】
請求項１に記載の照明装置であって、前記駆動コンポーネントの前記動きは、前記パネルに直角な相対的上下運動、及び、前記パネルに平行な平面における相対的円状運動、のうちの少なくとも１つである、照明装置。
【請求項３】
請求項２に記載の照明装置であって、前記駆動コンポーネントは、可動ブロックを有し、前記回転コンポーネントは、対応する凹部を有し、前記駆動コンポーネント及び前記回転コンポーネントは、前記可動ブロックの端部の１つが前記凹部において上下動し、前記回転コンポーネントが前記口金と共に正方向及び逆方向に回転するように構成されている、照明装置。
【請求項４】
請求項３に記載の照明装置であって、前記駆動コンポーネントは、往復スイッチアセンブリであり、前記回転コンポーネントは、シャフトアセンブリである、照明装置。
【請求項５】
請求項３に記載の照明装置であって、前記ボタンは、斜平面を有するスライドボタンであり、前記可動ブロックは、前記スライドボタンの前記斜平面と接触しながら動くことが可能であるようにされている、対応する斜平面を備えられている、照明装置。
【請求項６】
請求項１に記載の照明装置であって、前記ボタンは、回転ボタンであり、前記駆動コンポーネントは、歯車アセンブリであり、前記回転コンポーネントは、シャフトアセンブリであり、前記歯車アセンブリ及び前記シャフトアセンブリは共に、互いに係合される歯車を含み、前記歯車アセンブリの相対的円状運動は、前記シャフトアセンブリが回転するようにさせる、照明装置。
【請求項７】
請求項４又は６に記載の照明装置であって、前記接続構造部は、空洞であり、前記シャフトアセンブリは、当該シャフトアセンブリの外部壁を介して前記接続構造部の内部壁へ固定されており、前記シャフトアセンブリは、一端面において２つの穴部を備えられており、前記口金は、前記コンタクト部として２つのピンを含み、前記口金は、前記シャフトアセンブリの前記一端面に装着されている、照明装置。
【請求項８】
請求項７に記載の照明装置であって、前記接続構造部は、長尺形状であり、前記シャフトアセンブリは、前記接続構造部の一端部に設けられており、及び、前記接続構造部の前記一端部から他端部へ延在する回転シャフトを有し、前記回転シャフトの他端部は、別の口金を設けられている、照明装置。
【請求項９】
請求項７に記載の照明装置であって、前記接続構造部は長尺形状であり、２つのシャフトアセンブリは、それぞれ、前記接続構造部２つの端部において設けられており、各シャフトアセンブリは、１つの口金を設けられている、照明装置。
【請求項１０】
請求項７に記載の照明装置であって、前記接続構造部は、前記パネルのそれぞれの２つの端部に設けられている２つの別個のパーツであり、各パーツは、内部にシャフトアセンブリを含み、及び各シャフトアセンブリは、１つの口金を備えられている、照明装置。
【請求項１１】
請求項１に記載の照明装置であって、前記パネルは、ＯＬＥＤフィルムを表面に設けられている、照明装置。
【請求項１２】
請求項１に記載の照明装置であって、前記パネル又は前記接続構造部において複数のＬＥＤが配置されている、照明装置。
【請求項１３】
請求項１に記載の照明装置であって、前記パネルに渡って導光パネル、光シールド又は拡散体が設けられている、照明装置。
【請求項１４】
請求項１乃至１３のいずれか一項に記載の少なくとも１つの照明装置を有する照明器具。
【発明の詳細な説明】
【技術分野】
【０００１】
本発明は、照明装置、特に、巧みな設置機構を有する照明装置に関する。
【背景技術】
【０００２】
ＬＥＤが益々一般に受け入れられるように従い、蛍光灯を置き換えるのに直管形ＬＥＤ照明（ＴＬＥＤ）が広く使用されている。通常設置又は維持を完了させるためには数分しか要さないものの、より簡単な設置のためのインターフェイスがなお望まれている。日本国特許出願第2013-118063号では、ＬＥＤ照明装置が開示されている。このＬＥＤ照明装置は、パネル及び２つの管を有しており、これらの管は、このＬＥＤパネルの上面に設けられている複数の掛け具により支持されている。これらの管を掛け具で留めることは容易でありそうであるが、この構造は、機械的に安定しておらず、パネルを有さない照明器具には用いることが可能でない。
【発明の概要】
【発明が解決しようとする課題】
【０００３】
本発明の目的は、設置又は維持を簡素化する照明装置を提供することである。
【課題を解決するための手段】
【０００４】
本発明に従うと、照明装置は、光源と、端部に設けられる口金、及び、送り出し機構、を有する接続構造部と、を有し、前記口金は前記光源と電気的に接続され、及び、当該口金は外部ソケットへ挿入されるコンタクト部を有し、前記送り出し機構は、前記口金が装着される回転コンポーネントに回転可能に接続される駆動コンポーネントを含み、前記駆動コンポーネントが前記回転コンポーネントに対する動きは、前記回転コンポーネントに、前記口金と共に回転させるように構成されている。
【０００５】
本発明の一つの実施例に従うと、パネルは、前記接続構造部と機械的に接続され、且つ、当該パネルに設けられるボタンを用いて前記接続構造部の口金に対応するある位置において前記駆動コンポーネントと可動に接続されている。
【０００６】
本発明の一つの実施例に従うと、前記駆動コンポーネントの前記動きは、前記パネルに直角な相対的上下運動、及び、前記パネルに平行な平面における相対的円状運動、のうちの少なくとも１つである。
【０００７】
本発明の一つの実施例に従うと、前記駆動コンポーネントは、可動ブロックを有し、前記回転コンポーネントは、前記可動ブロックと可動に接触するために、対応する凹部を有する。前記可動ブロックの端部の１つが前記凹部において上下動する時に、前記回転コンポーネントは前記口金と共に正方向及び逆方向に回転する。
【０００８】
本発明の一つの実施例に従うと、前記駆動コンポーネントは、往復スイッチアセンブリであり得、前記回転コンポーネントは、シャフトアセンブリであり得る。
【０００９】
本発明の一つの実施例に従うと、前記ボタンは、斜平面を有するスライドボタンである。したがって、前記駆動コンポーネントの可動ブロックは、前記スライドボタンの前記斜平面と接触しながら動くことが可能であるようにされている、別の斜平面を備えられている。スライドボタンを動かすことにより、スライドボタンの斜平面は、駆動コンポーネントの可動部分の斜平面に接触し、そして当該可動部分を上方へ押して進ませる又は可動部分を解放して下方へ下ろす。
【００１０】
本発明の一つの実施例に従うと、前記ボタンは、回転ボタンであり、前記駆動コンポーネントは、歯車アセンブリであり得る。前記回転コンポーネントは、シャフトアセンブリであり、前記歯車アセンブリ及び前記シャフトアセンブリは共に、互いに係合される歯車を含み、前記歯車アセンブリの相対的円状運動は、前記シャフトアセンブリが回転するようにさせ、更に、シャフトアセンブリの端部に装着される口金を回転させる。
【００１１】
本発明の一つの実施例に従うと、前記シャフトアセンブリは、当該シャフトアセンブリの外部壁を介して前記接続構造部の内部壁へ固定されており、前記シャフトアセンブリは、一端面において２つの穴部を備えられている。前記口金は、前記コンタクト部として２つのピンを含み、前記口金は、前記シャフトアセンブリの前記一端面を覆っている。
【００１２】
本発明の一つの実施例に従うと、前記接続構造部は、長尺形状であり得、前記シャフトアセンブリは、前記接続構造部の一端部に設けられている。前記シャフトアセンブリの回転シャフトは、前記接続構造部の前記一端部から他端部へ延在し、同時に、他方の口金も、中央回転シャフトの他端部において設けられており、したがって、シャフトアセンブリの回転する動きは、中央回転シャフト及び更に２つの口金が回転するようにさせる。
【００１３】
本発明の一つの実施例に従うと、前記接続構造部は空洞（hollow）の長尺形状であり、２つのシャフトアセンブリは、それぞれ、前記接続構造部２つの端部において、間には何の共通回転シャフトも備えられることなく設けられており、各シャフトアセンブリは、１つの口金を設けられている。
【００１４】
本発明の一つの実施例に従うと、前記接続構造部は、前記パネルのそれぞれの２つの端部に設けられている２つの別個の空洞のパーツであり、各パーツは、内部にシャフトアセンブリを含み、及び各シャフトアセンブリは、１つの口金を備えられている。
【００１５】
本発明の一つの実施例に従うと、前記パネルは、ＯＬＥＤパネルである。
【００１６】
本発明の一つの実施例に従うと、前記パネル又は前記接続構造部において複数のＬＥＤが配置されている。
【００１７】
本発明の一つの実施例に従うと、前記パネルに渡って拡散体、導光パネル、又は光シールドが設けられている。
【００１８】
本発明の別の目的は、上述の照明装置を備える器具を提供することである。
【００１９】
本発明の有利な点は、電気工事士などのいかなる者でも容易に照明装置を設置又は置換することが可能であることである。パネルの表面に設置されるボタンをタッチ、押圧、スライド、又は回転させることだけにより、前記回転コンポーネントは、回転するように駆動され、そして、２つの口金の２つのピンは、対応するソケットへ素早く挿入される。
【００２０】
本発明のこれら及び他の特徴及び有利な点は、本発明の代表的な実施例を示す添付の図面を参照にして、以下に説明される。
【図面の簡単な説明】
【００２１】
【図１】図１は、従来技術の照明装置を例示する。
【図２Ａ】図２Ａは、本発明の第１の実施例に従う照明装置の斜視図の前面図である。
【図２Ｂ】図２Ｂは、本発明の第１の実施例に従う照明装置の斜視図の背面図である。
【図３】図３は、ＬＥＤがパネル内にある代わりに接続管内に設けられている別の実施例に従う照明装置の斜視図である。
【図４】図４は、送り出し機構の斜視図である。
【図５Ａ】図５Ａは、往復スイッチの斜視図である。
【図５Ｂ】図５Ｂは、往復スイッチの別の斜視図である。
【図６】図６は、図５のシェルの斜視図である。
【図７】図７は、シャフトアセンブリの斜視図である。
【図８】図８は、送り出し機構の別の実施例の斜視図である。
【図９】図９は、ボタンのある実施例である。
【図１０】図１０は、ＯＬＥＤフィルムが設けられており２つの別個の接続構造部を有する別の実施例の斜視図である。
【図１１】図１１は、他の図に記載される照明装置を含む照明器具の概略図である。
【発明を実施するための形態】
【００２２】
以下の説明において、本発明は、部屋の天井に設置される照明装置を参照して記述されているが、このことは、本発明の範囲を限定するものではない。
【００２３】
図２Ａ及び図２Ｂを参照すると、照明装置１００は、複数のＬＥＤ１１０と、照明装置の２つの端部においてそれぞれ設けられる２つの回転可能な口金（１２２、１２４）を有する空洞の長尺接続構造部１２０と、送り出し機構１３０とを有し、各口金は（１２２、１２４）は、ＬＥＤと電気的に接続され、且つコンタクト部を有し、このコンタクト部において、外部ソケットへ挿入されるための２つのピン（参照符号で示されず）が存在する。
【００２４】
図４が示すように、送り出し機構１３０は、パネル１５０を通って設けられる駆動コンポーネント１３２と、接続構造部１２０内部に設けられる回転コンポーネント１３４とを有する。
【００２５】
本実施例において、ＬＥＤ１１０は、パネル１５０内部に設けられており、この実施例は、十分な光源が利用可能でありそして光の均一性が充足され得る状況に適用され得る。パネル１５０は、背面から接続構造部１２０へ接続されている。ボタン１５５（図３も参照）は、パネル１５０の前表面に設けられており、且つ、駆動コンポーネント１３２と柔軟的に接続されている。図３に示される別の実施例において、ＬＥＤは、接続構造部１２０内部にも設けられ得るが、それはパネルからのＬＥＤ光源の特定の距離により光の均一性を向上させることが可能であるからである。接続構造部は、例えば長方形又は不規則形状などの、長尺形状以外の形状も取り得ることを言及することに意味がある。ＬＥＤは、接続構造部内部のいかなる場所において、パネル１５０に隣接して又パネル１５０からより離れて、配置され得る。
【００２６】
図２、図３及び図４の実施例における駆動コンポーネント１３２は、接続構造部の２つの端部において設けられる２つの往復スイッチである。
【００２７】
図５Ａ及び図５Ｂは、各往復スイッチの斜視図を示し、１つは前面図であり、他方は背面図である。各往復スイッチは、往復スイッチシェル１３２２、スライドブロック１３２４、バネ１３２６、及びクランク１３２８を含む。スライドブロック１３２４は、バネ１３２６とクランク１３２８の一部とを収容する内部空間を設けられる。スライドブロック１３２４は、シェル１３２２の２つの内部側部に設けられているスライドトラックに沿ってスライドして上下する。加えて、スライドブロックには、上部において突出部１３５５を設けられており、この突出部１３５５は、回転コンポーネントと接触するようにされている。クランク１３２８は、シェルの背部から前部へシェルを通じて設けられており、バネ１３２６は、スライドブロック内部においてクランク１３２８に拘束されずに接触されている。回転コンポーネントの空間は限られているので、バネは、スライドブロックが回転コンポーネントへ向けて動かされると押圧される。図６が示すように、２つの隆起領域１３２２Ａ及び１３２２Ｂが、シェル１３２２の内部背部壁に設けられており、これらの隆起領域は、特定の形状を示し、そして運動軌跡を制限し且つクランク１３２８の位置を制限するように設計されている。例えば、図６が示すように、スライドブロックがシェルの往復トラックに沿って回転コンポーネントへ向かって動かされて隆起領域１３２２Ａに接触する場合、クランクは、始めはスロープ側Ｓ１に沿って上方へ動き、スロープ側Ｓ１の上点Ｐ１へ動く場合、クランクは、凹部側Ｓ２へ下降し、そこで停止し、再び上向きの力がスライドブロックへ加えられる場合、クランクは、移動を続け、別の上点Ｐ２を超えて進み、その後他のスロープ側Ｓ３に沿って下降し、最終的に元の位置へ戻る。全体の工程において、バネ１３２６は、始めに押圧され、クランクが別の上部Ｐ２を通り過ぎる時に、バネは弾性力を解放し、クランクを元の位置へ運んで戻す。隆起領域の形状は、スライドブロックの停止位置及び移動距離に関して異なる様々な要件に従い変更し得る。
【００２８】
本発明の実施例に従うと、回転コンポーネントは、接続構造部の２つの端部に設けられているシャフトアセンブリの２つのセットであり得る。図７を参照すると（１セットのみが示されている）、各シャフトアセンブリは、回転シャフト１３４２及び２つの端部を有する。２つの支持部１２２０は、接続構造部１２０の内部壁に固定されており、これらの支持部は、開口部を有する環状形状であり、１つの回転シャフト１３４２を内部に囲んでいる。より大きい半径を有する別の円筒状ブロック１３４４は、各シャフトアセンブリの２つの端部の間において設けられている。凹部１３４５は、円筒状ブロック１３４４において設けられており、凹部１３４５は、往復スイッチの突出部１３５５が柔軟に上下運動するのを可能にさせる余裕のある空間を提供する。ねじりバネ１３４６は、回転シャフト１３４２周りに巻かれている。突出部１３５５が上へ動かされ凹部へ挿入される場合、突出部１３５５は、円筒状ブロック１３４４へ力を印可し、更に回転シャフトが回転するように駆動させる。突出部１３５５が下へ動き、凹部を離れる場合、ねじりバネは、自動的に回転シャフトを元の静的状態へ運んで戻す。
【００２９】
各シャフトアセンブリの１つの端部には口金の２つのピンを収容するための２つのピンホールが設けられている。口金は、ピンホールを有するシャフトアセンブリの端部を覆うように構成されている。ピンは、ピンホールから延在し、そして口金（１２２，１２４）を通過するように構成される。
【００３０】
本実施例で示される送り出し機構の２つのセット（２つの駆動コンポーネント及び２つの回転コンポーネント）により、回転シャフトに対しての強固で安定性のある力を確保することが可能である。
【００３１】
往復スイッチ及びシャフトアセンブリは、構造又は部品を追加、除去又は交換することによって修正し、他の目的を達成すること又は性能を向上させることが可能であり、このような修正の全ては、本発明の保護に含まれるものと理解されるべきである。
【００３２】
駆動コンポーネントが上下運動をする場合、駆動コンポーネントは、通常、図４におけるものと同一又は同様な可動部分を含む。代替案として、図９は、スライドボタン及び駆動コンポーネントの対応する可動部分を示す。スライドボタン３５５は、照明装置のパネルにおいて設けられており、このパネルは斜平面３５５Ｓを有する。駆動コンポーネントは、スライドボタン３５５と柔軟に機械的に接触するシャフト３３１０を含み得、そして対応する斜平面を有する端部を介して接触する。スライドボタン３５５は、パネルの表面上を前後にスライドし、シャフト３３１０は、スロープ表面３５５Ｓに沿って上下に押され、したがって、これにより、回転コンポーネントの主回転シャフトが回転及び逆回転するようにされる。図８に示される別の実施例として、駆動コンポーネントは、歯車アセンブリであり得、回転コンポーネントは、シャフトアセンブリである。歯車アセンブリは、一端部において歯車２３２０を含み、この歯車は、シャフトアセンブリの主回転シャフト周りに設けられる歯車２３４０と係合されている。これらの歯車を動作させるために、回転ボタンがパネルの表面に設けられている（ボタンはパネルにより隠されており、よって図示されていない）。回転ボタンは、歯車アセンブリの他端部において設けられており、歯車は同一の回転軸を共有し得る。回転ボタンを前後に動かすことにより、２つの係合された歯車は、主回転シャフトを回転させ、したがって、パネルに平行な平面における歯車アセンブリの相対的円状運動により、シャフトアセンブリの端部に装着される口金は、正方向及び逆方向に回転するようにさせられる。
【００３３】
上述の実施例において、各シャフトアセンブリは、独立した回転シャフトを有し、つまりこのことは、これらの実施例において、同一の空洞の長細い接続構造部が２つの独立したシャフトアセンブリを含むことを意味する。しかし、空洞の長細い接続構造部を有する照明装置に関する最もシンプルな代替実施例として、口金を回転させるために送り出し機構１３０を１つのセット（１つの駆動コンポーネント及び１つの回転コンポーネント）のみ有することも問題が無い。この場合、１つのみの回転コンポーネントの回転シャフトが接続構造部の一端部から他端部へ延在する。１つのみの回転シャフトの２つの端部に２つの口金が設けられている場合、１つのみの回転コンポーネントの１つのみのセットは、いずれか１つの口金に近い位置に、又は中間の位置に、のいずれかの位置に設けられ得る。
【００３４】
別の実施例が示すように、パネル１５０は、図１０に示されるようにＯＬＥＤフィルムで覆われる。この実施例において、接続構造部は、パネル１５０の背部の２つの端部にそれぞれ設けられる２つの個別の接続構造部（１２０Ａ、１２０Ｂ）を採用し得る。各個別の接続構造部（１２０Ａ、１２０Ｂ）内部において、回転コンポーネントが存在する。各構造部の１つの端部は、口金で覆われている。個別の構造部は、特にＯＬＥＤフィルムに適しているが、その理由は、接続構造部内に余計な空間を必要とするような光源を設置する必要が無いからであるが、他の実施例においても使用され得る。
【００３５】
様々な異なる光効果を達成するために及び別の実施例として、照明装置は、パネル上に設けられる導光パネル、拡散体、又は光シールドを更に含み得る。特に、導光パネル又は拡散体が選択される場合、ＬＥＤは導光パネルの側部に設けられ得る。
【００３６】
図１１は、本発明の照明装置を含む照明器具を示す概略図である。実際には、この照明装置に対して追加的な光学ユニット及び他の機械的ユニットが組み合わせられ得る。代替実施例として、駆動装置は、照明装置から分離して離れて設けられ得る。
【００３７】
追加的に、図面、説明及び添付の請求項を検討することにより、開示される実施例に対する他の変更態様も、請求項に記載の発明を実施する当業者によって理解され得る。例えば、接続構造部１２０の形状は、例示される例において開示されるものとは相違し得る。駆動コンポーネント及び回転コンポーネントは、他の種類のアセンブリを選択し得る。照明装置は、壁や天井など、いかなる可能な場所にも設置され得る。光源は蛍光灯でもあり得る。
【００３８】
請求項における「有する」という用語は、他の要素又はステップの存在を排除せず、単数形の構成要素は、複数個の斯様な構成要素の存在を排除しない。
【図１】
2017502446.tif 000003
【図２Ａ】
2017502446.tif 000004
【図２Ｂ】
2017502446.tif 000005
【図３】
2017502446.tif 000006
【図４】
2017502446.tif 000007
【図５Ａ】
2017502446.tif 000008
【図５Ｂ】
2017502446.tif 000009
【図６】
2017502446.tif 000010
【図７】
2017502446.tif 000011
【図８】
2017502446.tif 000012
【図９】
2017502446.tif 000013
【図１０】
2017502446.tif 000014
【図１１】
2017502446.tif 000015
【国際調査報告】
2017502446.tif 000016
2017502446.tif 000017
2017502446.tif 000018